(57)【要約】【課題】テープの全てをロール状態で使用でき、テープが使用後のみにロールから除去されて廃棄される、ライナレスコアレステープロールを有する糸くず除去装置を提供する。【解決手段】糸くず除去装置は、ハンドル部分３２およびテープ受容部分３４を備えるアプリケータ３０と、アプリケータ３０のテープ受容部分３４に取り付けられるライナレスコアレステープロールとを備える。アプリケータ３０のテープ受容部分３４は、円筒状のテープ受容面４６と、ハンドル部分３２に隣接してテープ受容面４６から半径方向に延出する内側リップ４８と、自由端部４２に隣接してテープ受容面４６から半径方向に延出する外側リップ５０と、テープ受容面４６と外側リップ５０との間に形成されるノッチ５６とを備える。テープ受容部分３４に取り付けたテープロールを外側リップ５０に向けて押し付けたときに、テープロールがノッチ５６内に曲がるようになっている。【選択図】図５
2008012325.tif 000002
【特許請求の範囲】
【請求項１】
ハンドル部分（３２）およびテープ受容部分（３４）を備え、該ハンドル部分（３２）が自由端部（３６）および接続端部（３８）を有し、該テープ受容部分（３４）が自由端部（４２）および接続端部（４４）を有し、該ハンドル部分の該接続端部（３８）が該テープ受容部分の該接続端部（４４）に接続されてなるアプリケータ（３０）と、
前記アプリケータ（３０）の前記テープ受容部分（３４）に取り付けられ、第１面（１８）および第２面（２０）を有する基材層（１４）、並びに該基材層（１４）の該第１面（１８）上に形成される接着剤層（１６）を備えるテープ（１２）のライナレスコアレスロール（１０）とを具備する、糸くず除去装置において、
前記アプリケータ（３０）の前記テープ受容部分（３４）は、円筒状のテープ受容面（４６）と、前記ハンドル部分（３２）に隣接して該テープ受容面（４６）から半径方向に延出する内側リップ（４８）と、前記自由端部（４２）に隣接して該テープ受容面（４６）から半径方向に延出する外側リップ（５０）と、該テープ受容面（４６）と該外側リップ（５０）との間に形成されるノッチ（５６）とを具備し、該テープ受容部分（３４）に取り付けた前記ライナレスコアレスロール（１０）を該外側リップ（５０）に向けて押し付けたときに、該ライナレスコアレスロール（１０）を該ノッチ（５６）内に曲げさせるようになっていること、
を特徴とする糸くず除去装置。
【発明の詳細な説明】
【技術分野】
【０００１】
本発明は、コアレスロールを有する糸くず除去装置に関する。
【背景技術】
【０００２】
テープの大抵のロールは、その意図する目的のためにテープを使用する前に、最初に任意長さのテープをロールから取り出すことによって使用される。ロール上に支持されている状態でのテープの１つの使用用途は、糸くずの除去である。糸くず除去テープは、糸くずおよび他の小さな粒子を、衣類などの織地から除去するために使用される。糸くず除去テープは、個々に包装されるか或いはロールまたはパッドから取り出される個別のシートの状態で使用できる。糸くず除去テープは、テープがロール上にあるロール形状でも使用できる。このテープは、使用後にのみロールから除去されて廃棄される。
【０００３】
ロール形式では、糸くず除去テープは、典型的に、使用のためにテープの接着側を外側にしてコア上に巻かれる。糸くず除去テープのロールは、ハンドル部分とテープ受容部分とから典型的に形成されるアプリケータに設置される。ロールは、アプリケータのテープ受容部分に配置される。特許文献１および特許文献２に記載のものなどの、様々な糸くず除去テープロールが知られている。
【０００４】
テープのコアレスロールおよびその製造方法が知られている。例えば、特許文献３および特許文献４がコアレステープロールを開示する。但し、形成されたこれらのテープロールには、ライナが設けられ、このライナがコアの機能を果たす。
【０００５】
特許文献５は、他のライナ付きコアレステープロールを開示する。このロールを使用するために、テープの最も内側部分は使用できず、廃棄するしかない。
【０００６】
特許文献６は、コアを用いずに薄膜紙をロール状に巻く方法を開示する。但し、そのような薄膜紙のコアレスロールがどのように使用されるかについて、何も示唆されていない。このロールは、接着剤または同等の物質も用いない。
【０００７】
【特許文献１】米国特許第５０２７４６５号明細書
【特許文献２】米国特許第５３８８３００号明細書
【特許文献３】米国特許第３７７０５４２号明細書
【特許文献４】米国特許第３８９９０７５号明細書
【特許文献５】米国特許第４２９７４０３号明細書
【特許文献６】米国特許第３８２３８８７号明細書
【発明の開示】
【発明が解決しようとする課題】
【０００８】
上記した公知のコアレスロールは、一般に、その意図する目的のためにテープを使用する前に、ロールからテープの一部を取り出すことによって使用される。テープがテープ上にある状態で使用され、テープが使用後にのみロールから除去されて廃棄されるコアレステープロールは、まだ知られていない。テープの全てを使用でき、テープがロールの状態で使用され、テープが使用後のみにロールから除去されて廃棄されるような、テープのライナレスコアレスロールを有する糸くず除去装置が、要求されている。
【課題を解決するための手段】
【０００９】
上記目的を達成するために、本発明は、ハンドル部分およびテープ受容部分を備え、ハンドル部分が自由端部および接続端部を有し、テープ受容部分が自由端部および接続端部を有し、ハンドル部分の接続端部がテープ受容部分の接続端部に接続されてなるアプリケータと、アプリケータのテープ受容部分に取り付けられ、第１面および第２面を有する基材層、並びに基材層の第１面上に形成される接着剤層を備えるテープのライナレスコアレスロールとを具備する、糸くず除去装置において、アプリケータのテープ受容部分は、円筒状のテープ受容面と、ハンドル部分に隣接してテープ受容面から半径方向に延出する内側リップと、自由端部に隣接してテープ受容面から半径方向に延出する外側リップと、テープ受容面と外側リップとの間に形成されるノッチとを具備し、テープ受容部分に取り付けたライナレスコアレスロールを外側リップに向けて押し付けたときに、ライナレスコアレスロールをノッチ内に曲げさせるようになっていること、を特徴とする糸くず除去装置を提供する。
【発明の効果】
【００１０】
本発明によれば、テープの全てを使用でき、テープがロールの状態で使用され、テープが使用後のみにロールから除去されて廃棄されるような、テープのライナレスコアレスロールを有する糸くず除去装置が、提供される。テープ受容部分に取り付けたライナレスコアレスロールを外側リップに向けて押し付けたときに、ライナレスコアレスロールは、ノッチ内に曲がることで、テープ受容面に保持される。
【発明を実施するための最良の形態】
【００１１】
図１〜図３は、糸くず除去テープ１２のライナレスコアレスロール１０を示す。テープそれ自体は、少なくとも２つの層、すなわち基材層１４および接着剤層１６から形成され、任意の周知材料から製造できる。基材層１４は、第１面１８と第２面２０とを有し、例えば、紙またはプラスチックフィルムから製造できる。適切な紙裏地は、飽和フラットストックおよびクレープを含む。適切なプラスチックフィルム裏地は、ポリプロピレン、ポリエチレン、ポリプロピレンとポリエチレンとの共重合体、ポリエステルおよびビニルアセテートを含む。ポリプロピレンは、二軸延伸ポリプロピレン（ＢＯＰＰ）または同時二軸延伸ポリプロピレン（ＳＢＯＰＰ）であってもよい。裏地材料は、堆肥化可能または減成可能であり、彩色化でき、印刷でき、異なる表面質感またはエンボスされたものであってもよい。
【００１２】
図３に示されるように、接着剤層１６は、基材層１４の第１面１８上に形成される。接着剤層１６は、基材層１４の第１面１８の全体に形成されるか、或いは、基材層１４の片側または両側の縁に沿っては塗布されない。或いはまた、基材層１４の両側の縁に、接着剤を塗布した後に、例えばワックス、ラッカー、インクなどを用いて粘着防止加工を施すこともできる。
【００１３】
接着剤は、ホットメルト塗布配合物、転写式塗布配合物、溶剤塗布配合物およびラテックス配合物を含むことができる。本発明による糸くず除去テープ１２の作製に有用な接着剤は、感圧接着剤の全てを含む。感圧接着剤は、通常は室温で粘着性を有し、多くとも、軽い指圧の適用で表面に接着される。本発明で有用な接着剤の例は、ポリアクリレート；ポリビニルエーテル；天然ゴム、ポリイソプレンおよびポリイソブチレンなどのジエン含有ゴム；ポリクロロプレン；ブチルゴム；ブタジエン−アクリロニトリル重合体；熱可塑性エラストマ；スチレン−イソプレンおよびスチレン−イソプレン−スチレンブロック共重合体、エチレン−プロピレン−ジエン重合体およびスチレン−ブタジエン重合体などのブロック共重合体；ポリ−アルファ−オレフィン；アモルファスポリオレフィン；シリコーン；エチレンビニルアセテート、エチルアクリレートおよびエチルメタクリレートなどのエチレン含有共重合体；ポリウレタン；ポリアミド；エポキシ；ポリビニルピロリドンおよびビニルピロリドン共重合体；ポリエステル；並びにこれら材料の混合物を含む、一般的組成物を基材とするものである。さらに、これらの接着剤は、粘着付与材剤、可塑剤、充填剤、酸化防止剤、安定剤、顔料、拡散粒子、硬化剤および溶剤などの添加剤を含有できる。
【００１４】
有用な感圧接着剤の概要は、Encyclopedia of Polymer Science and Engineering, Vol. 13, Wiley-Interscience Publishers (New York, 1988)に見られる。有用な感圧接着剤の追加的説明は、Encyclopedia of Polymer Science and Technology, Vol. 1, Interscience Publishers (New York, 1964)に見られる。
【００１５】
テープ１２は、テープそれ自体のみの上に巻くことによって、その接着剤層１６を外側に向けた複数巻きのロール１０に形成される。テープロールに対する支持体となってテープロールに剛性および強度を提供するコアやライナなどの、いかなる支持材料も不要である。図示実施形態では、何も使用されていない。
【００１６】
糸くず除去テープのロール１０は、典型的にハンドル部分３２とテープ受容部分３４とから形成されるアプリケータ３０（図４〜図６参照）にロール１０を設置することによって使用できる。この場合、ロール１０は、テープ受容部分３４に配置される。
【００１７】
ロール１０を形成する際に、テープ１２は、支持材料を不必要にするほど十分に堅くて自立するものである。最後の巻きを含むロール１０の全体を、いかなるテープも無駄にせずに、糸くず除去の目的のために完全に使用できる。テープの最後の巻きは、アプリケータ３０のテープ受容部分３４に直に接触するので、テープの最後の巻きを完全に使用できる。最後の巻きは、一般に、少なくとも１つの軸線に沿ってテープ受容部分３４と接触するが、円周に沿ってテープ受容部分と接触する必要はない。テープの最後の巻きが除去されると、アプリケータ３０は他のテープロール１０で補充される。本発明に関連するテープロールを用いると、テープがアプリケータ３０に接着してアプリケータ３０の動作を妨げたりテープを無駄にしたりする危険性がない。新しいテープロールで補充する前に除去する必要のあるコアも、存在しない。
【００１８】
テープのコアレスロール１０は、さらに第３の層を有することができる。第３層として、低接着力裏面（ＬＡＢ）層２４は、使用後に廃棄されるべきテープの外側の巻きを、ロール１０から除去し易くするために、基材層１４の第２面２０上に形成できる。適切なＬＡＢ層は、シリコーン、フッ素化合物、アクリレートおよびポリビニルアセテートを含む。基材層１４への接着剤層１６の接着力を増すために、プライマーなどの多数の他の層を、テープに追加できる。印刷素材を、接着剤の下の基材層の第１面に、或いは任意のＬＡＢ層２４の下または上の基材層の第２面に、配置することもできる。この印刷素材は、広告、説明または他の情報を含むことができる。またテープは、脱臭剤、芳香剤、静電気防止剤および被包性洗浄剤を含有してもよい。基材層１４は、火炎処理、コロナ処理および粗面加工などによって、改変されてもよい。
【００１９】
テープの他の選択的特徴として、使用後に廃棄されるべきテープの外側の巻きをロール１０から除去するのを容易にするために、図２に示すように、穿孔２６を設けることもできる。これらの穿孔２６は、テープ１２がロール１０の形態に巻かれる前に、またはロール１０が形成された後に、設けることができる。連続した巻きに対し、これらの穿孔２６は、ロール１０上の同じまたは異なる円周位置に設けることができる。或いは、テープ１２がロール１０に形成された後に、完全なカット（図示せず）をロール全体に形成して、離散シートを形成することでテープの外側の巻きの除去を容易にするようにしてもよい。この完全カットは、縁部を除いてロールを横切るように、または最も内側の巻きを除くロール全体に渡って、形成できる。
【００２０】
無駄の低減に加えて、本発明に係るコアレスの特徴は、性能上の利点をも提供する。コア、ライナ等の裏地支持材料を無くすことによって、ロールをさらに圧縮し易くなる（圧縮するのに何の堅い支持体をも有さない）。このロールは、糸くずを除去するための接触面を使用中に生成できる程度に十分に圧縮可能である。これにより、糸くずを除去して受け取るための大面積が、テープ上に形成される。この圧縮性は、テープがアプリケータで使用される場合にも、十分なものである。
【００２１】
本発明に関連するテープロールの製造に際し、１０ｃｍ（４ｉｎ）幅テープのマスターロールは、型押ポリプロピレン裏地、一方の面に塗布される低接着力裏面（ＬＡＢ）、および約０．６２ｃｍ（０．２５ｉｎ）幅の未塗布縁部を残して他方の面に塗布されるホットメルト塗布式接着剤を有する。マスターロールは、従来の方法で巻かれて形成される。次いでマスターロールは、接着面を外側にして再び巻かれ、任意で穿孔が設けられる。この工程中に、真空がテープをマンドレル上に引き寄せて所定位置に保持し、それとともに適切な長さのテープが接着面を外側にして巻かれて、正規の長さのコアレスロールに変換される。タレットが、巻き終わったテープを割出す。タレットが回転すると、元のマンドレル上の真空は停止されてコアレステープロールが提供される。第２のマンドレルが所定位置に移動し、真空が接続され、上記工程が反復される。連続動作を容易にするために、必要な場合には、追加のマンドレルが使用されることもある。
【００２２】
本発明は、テープ１２のコアレスロール１０とアプリケータ３０とを備えた糸くず除去装置に関する。図４〜図６に示すように、アプリケータ３０は、ハンドル部分３２およびテープ受容部分３４を含む。ブロー成形、射出成形等の製造法により、製造が簡単で且つ低コストの一体構造が可能となる。ハンドル部分３２は、任意の形状を有することができ、人間工学的に手に馴染むような形状にもできる。ハンドル部分３２は、自由端部３６および接続端部３８を有する。自由端部３６は、アプリケータ３０を収納用のフックに掛けることができるように、開口部４０を有することができる。
【００２３】
テープ受容部分３４も、自由端部４２および接続端部４４を有する。ハンドル部分３２の接続端部３８は、テープ受容部分３４の接続端部４４に接続される。テープ受容部分３４はさらに、円筒状テープ受容面４６と、接続端部４４に隣接した内側リップ４８と、自由端部４２に隣接した外側リップ５０とを有する。両リップ４８、５０はいずれも、テープ受容面４６を半径方向へ越えて延びる。外側リップ５０は、テープ受容部分３４の自由端部４２に向いた側にテーパ部分５２を有する。外側リップ５０は、ハンドル部分３２に向いた側５４で、テープ受容面４６に直交することができる。テープロール１０は、外側リップ５０を越えてテープ受容面４６上に移動した後に、テープ受容面４６の適所に係止され、その状態で、外側リップ５０を再び越えるように摺動させて外すことができないようになっている。
【００２４】
テープロール１０はコアレスであり、引き伸ばすことができるので、僅かに寸法が大きく且つテーパ状に形成された（任意で圧縮可能かつ可撓性を有することもできる）外側リップ５０を越えるように拡張できる。ロール１０を適所に置いた後に、テープは本来の寸法に復元し、テープロール１０を据え付けできるように僅かに寸法を大きくしてあるテープ受容面４６の凹所部分（内側リップ４８と外側リップ５０との間）に収まる。内側および外側リップ４８、５０は、テープロール１０が全ロールを使い切る（または外側リップ５０を圧縮する）こと以外ではテープ受容部分３４から取り除かれないよう、テープロール１０を適所に保持するためのノッチ５６を、内側に有することができる。ノッチ５６は、テープロール１０が外側リップ５０を越えて上方に曲がることを防止するように作用する。ノッチ５６は、テープロール１０を外側リップ５０に向けて押し付けたときに、テープロール１０をノッチ内に曲げさせるように作用することで、テープ１２をテープ受容面４６の凹所部分に保持する。ファイバコアを有する典型的なロールは、その非可撓性のために、本発明の糸くず除去装置に適用できない。
【００２５】
アプリケータ３０は、圧縮可能なコアを有する場合にのみコア付きテープロールと共に使用できる。但し、圧縮可能なコアは、テープを使い切った後にもテープ受容部分３４上に残ることとなる。その場合、アプリケータは、コアが切り離されない限り再使用できない。本発明のようにコアレステープと組合せることで、より容易な再使用が可能となる。
【００２６】
本発明は、上記以外の様々な変更および修正を施すことができる。例えば、テープは、糸くず除去以外の目的にも使用可能である。テープ受容面は、円筒状でなくてもよく、例えば、縁同士が合致する複数の平面または湾曲面から形成でき、それによりテープロールを所定位置に保持し易くすることもできる。
【図面の簡単な説明】
【００２７】
【図１】本発明に関連するテープロールの斜視図である。
【図２】図１のロールを形成するテープの一部の平面図である。
【図３】図２のテープの側面図である。
【図４】本発明に関連するアプリケータの斜視図である。
【図５】図４のアプリケータの側面図である。
【図６】アプリケータに装着されたテープロールを有する本発明に係る糸くず除去装置の斜視図である。
【符号の説明】
【００２８】
１０    コアレスロール
３０    アプリケータ
３２    ハンドル部分
３４    テープ受容部分
４６    テープ受容面
４８    内側リップ
５０    外側リップ
５２    テーパ部分
５６    ノッチ
【図１】
2008012325.tif 000003
【図２】
2008012325.tif 000004
【図３】
2008012325.tif 000005
【図４】
2008012325.tif 000006
【図５】
2008012325.tif 000007
【図６】
2008012325.tif 000008